(57)【要約】【課題】船体が撓んでも損傷することを防ぐことができる上甲板裏の燃料タンクを提供する。【解決手段】バラ荷を積むための船倉２と、船倉２内に積載されているバラ荷の山の角度が安息角よりも小さくなるように保つ上部タンク３とを備えたバルクキャリアー１において、前後の船倉２間に設けられた上部タンク３内に、燃料タンク１０が配置されており、燃料タンク１０を形成する前後の壁面３ｅと船倉２におけるハッチサイドコーミング２Ｃとの間にコファダム１１が設けられている。船体が撓んだときに、その撓みをコファダム１１によって撓みに起因して燃料タンク１０に加わる力を軽減することができる。よって、壁３ｅの上端と甲板３ｄとの接合部分に加わる力を軽減することができるから、船体が撓んだときに、燃料タンク１０が破損することを防ぐことができる。【選択図】図１
2006248455.tif 000002
【特許請求の範囲】
【請求項１】
バラ荷を積むための船倉と、該船倉内に積載されているバラ荷の山の角度が安息角よりも小さくなるように保つ上部タンクとを備えたバルクキャリアーにおいて、
前後の船倉間に設けられた前記上部タンク内に、燃料タンクが配置されており、
該燃料タンクを形成する前後の壁面と前記船倉におけるハッチサイドコーミングとの間にコファダムが設けられている
ことを特徴とする上甲板裏の燃料タンク。
【請求項２】
前記燃料タンク内に、該燃料タンク内を前後一対の燃料室に分割するタンク内隔壁を備えており、
該タンク内隔壁が、
前後一対の分離壁から構成されており、
該前後一対の分離壁の間にコファダムが設けられている
ことを特徴とする請求項１記載の上甲板裏の燃料タンク。
【請求項３】
前記燃料タンクと二重底との間に、前後の船倉を分離する船倉隔壁が設けられており、
該船倉隔壁が、コルゲート板によって形成されたコルゲート隔壁であり、
前記タンク内隔壁における前後一対の分離壁が、
前記コルゲート隔壁の鉛直上方に配置されており、かつ、両者の距離が該コルゲート隔壁の溝深さと同じ長さとなるように配設されている
ことを特徴とする請求項２記載の上甲板裏の燃料タンク。
【発明の詳細な説明】
【技術分野】
【０００１】
本発明は、上甲板裏の燃料タンクに関する。
【背景技術】
【０００２】
貨物を積み込むための船倉を有する船舶では、座礁等による船底の損傷によって船内への浸水や貨物の損傷が生じることを防ぐために、船底外板より内側に内底を有する二重底構造が採用される。かかる二重底構造を有する船舶では、船底外板と内底の間の空間がタンクに適した構造となっているため、この空間をバラストタンクや燃料タンクとして使用されている。
【０００３】
しかるに、船底外板と内底の間の空間に燃料タンクを設けた場合、燃料タンク内の重油は、船底外板を介して、常に海水によって冷却された状態に保持される。すると、冷却されている重油は非常に粘度が高くなっており、そのままでは配管を通して重油を輸送することができない。このため、重油を蒸気などによって温めて、輸送温度（４５℃）に上昇させており、燃料を温めるエネルギを余分に消費していた。
また、船底外板と内底の間の空間に燃料タンクを設けた場合、座礁等によって船底外板が損傷すると、船倉内の貨物の損傷は防ぐことができるが、燃料タンク内の燃料が海上に流出することは防ぐことができない。
かといって、船底外板と内底との間に、両者の間の空間を分割する底を設け、この底と内底との間の空間を燃料タンクとすれば、船底外板が損傷しても燃料の流出は防ぐことができるが、船型や排水量が同じ船舶の場合には燃料タンクの容積が小さくなり、必要な量の燃料を積むことができなくなる。
【０００４】
かかる問題を解決するために、穀物等を積載するバルクキャリアーにおいて、通常デッドスペースとなっているハッチエンドのガーダ−および斜板との間に形成される空間を、燃料タンクとして利用する技術が開発されている（特許文献１）。
【０００５】
この技術では、船倉内に積載されているバラ荷の山の角度が安息角よりも小さくなるように保つ上部タンク内に燃料タンクが配置したので、上記の問題を解決することができ、かつ、バルクキャリアーのデッドスペースを有効活用することによって、船型や排水量を変更しなくても、従来と同じ燃料タンク容積を確保することができる。
【０００６】
しかるに、上記技術は従来の問題を解決する上で非常に有効であるが、燃料タンクを構成する前後の壁の上端と甲板との接合部分が船倉におけるハッチの開口部近傍に接続されているため、船体が撓んだときに壁の上端と甲板との接合部分には応力集中が発生し、壁の上端と甲板との接合部分に亀裂が発生し、燃料タンク内の燃料が船倉内に漏れ出してしまう可能性がある。
【０００７】
【特許文献１】実用新案登録第３１０７２０４号
【発明の開示】
【発明が解決しようとする課題】
【０００８】
本発明は上記事情に鑑み、船体が撓んでも損傷することを防ぐことができる上甲板裏の燃料タンクを提供することを目的とする。
【課題を解決するための手段】
【０００９】
第１発明の上甲板裏の燃料タンクは、バラ荷を積むための船倉と、該船倉内に積載されているバラ荷の山の角度が安息角よりも小さくなるように保つ上部タンクとを備えたバルクキャリアーにおいて、前後の船倉間に設けられた前記上部タンク内に、燃料タンクが配置されており、該燃料タンクを形成する前後の壁面と前記船倉におけるハッチサイドコーミングとの間にコファダムが設けられていることを特徴とする。
第２発明の上甲板裏の燃料タンクは、第１発明において、前記燃料タンク内に、該燃料タンク内を前後一対の燃料室に分割するタンク内隔壁を備えており、該タンク内隔壁が、前後一対の分離壁から構成されており、該前後一対の分離壁の間にコファダムが設けられていることを特徴とする。
第３発明の上甲板裏の燃料タンクは、第２発明において、前記燃料タンクと二重底との間に、前後の船倉を分離する船倉隔壁が設けられており、該船倉隔壁が、コルゲート板によって形成されたコルゲート隔壁であり、前記タンク内隔壁における前後一対の分離壁が、前記コルゲート隔壁の鉛直上方に配置されており、かつ、両者の距離が該コルゲート隔壁の溝深さと同じ長さとなるように配設されていることを特徴とする。
【発明の効果】
【００１０】
第１発明によれば、燃料タンクを形成する前後の壁面と船倉におけるハッチサイドコーミングとの間にコファダムが設けられているため、船体が撓んだときに、その撓みをコファダムによって撓みに起因して燃料タンクに加わる力を軽減することができる。よって、壁の上端と甲板との接合部分加わる力を軽減することができるから、船体が撓んだときに、燃料タンクが破損することを防ぐことができる。
第２発明によれば、燃料タンク内を前後一対の分離壁から構成されるタンク内隔壁によって前後一対の燃料室に分割しており、しかも、前後一対の分離壁の間にコファダムを形成しているから、船体の撓みに対する燃料タンクの耐久性を高くすることができる。
第３発明によれば、コルゲート隔壁の鉛直上方には通常クレーンポストが配置されるが、このクレーンポストを一対の分離壁によって支持することができる。しかも、一対の分離壁がコルゲート隔壁の溝深さとほぼ同じ距離だけ離れているから、クレーンポストから加わる荷重などを、クレーンポストの中心軸を挟む位置で支持できるので、クレーンポストの安定性を高くすることができる。
【発明を実施するための最良の形態】
【００１１】
つぎに、本発明の実施形態を図面に基づき説明する。
図１は本実施形態のバルクキャリアー１の概略説明図であって、（Ａ）は平面図であり、（Ｂ）は（Ａ）のＢ−Ｂ線断面図である。図２は（Ａ）は本実施形態のバルクキャリアー１の要部拡大図であり、（Ｂ）は（Ａ）のＢ−Ｂ線断面図である。
【００１２】
図１において、符号１は、穀物等のバラ荷を積載するバルクキャリアーを示している。バルクキャリアー１は、バラ荷を積載するための複数の船倉２を備えている。この船倉２の上部には、船倉２内にバラ荷を投入するためのハッチが設けられており、このハッチを開閉するハッチカバー２ｈが設けられている。このハッチの開口部のハッチエンドには、甲板３ｄの補強や水密性を確保するためのハッチエンドコーミング２Ｃが設けられている。
【００１３】
このバルクキャリアー１の上部には、前記船倉２を前後および左右から挟む位置に船倉内前後端タンクやトップサイドタンク等の上部タンク３，４が設けられている。この上部タンク３，４は、前記船倉２の上部の形状が、船倉２内にバラ荷を満載したときに、バラ荷の山の角度が安息角よりも小さくなるように保つように形成されているから、船が前後方向または幅方向に傾いたときに、船倉２内のバラ荷が荷崩れ現象を起こすことを防ぐことができる。
【００１４】
図１および図２に示すように、本実施形態のバルクキャリアー１は、前記上部タンク３，４のうち、船倉２の前後に設けられている上部タンク３内に、燃料タンク１０が設けられている。
上部タンク３は、船体外板１ｈと、甲板３ｄと、前後の船倉２におけるハッチエンドコーミング２Ｃと、このハッチエンドコーミング２Ｃと前後の船倉２を分離する船倉隔壁Ｄとの間に設けられた底板３ｂとから構成されている。
【００１５】
この上部タンク３において、燃料タンク１０は、上部タンク３における船体幅方向の両端に設けられた一対の側板３ｈ，３ｈと、甲板３ｄ、上部タンク３の底板３ｂと、ハッチエンドコーミング２Ｃよりも上部タンク３の内方に位置する一対の前後壁３ｅ，３ｅによって形成されている。
一対の側板３ｈ，３ｈは、ハッチサイドコーミングとほぼ同じ程度、船体外板１ｈより内方に位置するように配設されており、上端が甲板３ｄに液密に取り付けられており、下端が上部タンク３の底板３ｂに液密に取り付けられている。
また、一対の前後壁３ｅ，３ｅは、上端が甲板３ｄに液密に取り付けられており、下端が上部タンク３の底板３ｂに液密に取り付けられている。
【００１６】
このため、船体外板１ｈが燃料タンク１０の構成要素となっていないから、座礁や衝突等によって船体外板１ｈが損傷したとしても、燃料タンク１０が損傷しないので、燃料タンク１０内の燃料が海上に流出することを防ぐことができる。
しかも、バルクキャリアー１において、従来利用されておらずデッドスペースであった上部タンク３内を燃料タンク１０に利用するから、船体を有効活用することができる。しかも、上部タンク３内の容積は、従来の燃料タンクの容量と同程度大きさであるから、バルクキャリアー１の船型や排水量を変更しなくても、従来と同じ燃料タンク容積を確保することができる。
また、燃料タンク１０は、水や外気と接触し低温となる船体外板１ｈをその構成要素としておらず、また、一対の内板３ｈ，３ｈと船体外板１ｈとの間の空間や船倉２が断熱機能を発揮するから、燃料タンク１０内の燃料の保温効果が向上し、燃料の温度が低下することを防ぐことができる。すると、燃料タンク１０からエンジンに供給される燃料の加熱に使用する蒸気の消費量少なくすることができるので、加熱用ボイラー容量を小さくすることができ、しかも、省エネルギ化を図ることができる。そして、加熱用ボイラー容量を小さくすることができるから、船体において有効活用可能なスペースを広く取ることができる。
【００１７】
しかも、一対の前後壁３ｅ，３ｅは、ハッチエンドコーミング２Ｃから、例えば６〜８ｍ程度離した位置に配設されている。つまり、一対の前後壁３ｅ，３ｅは、ハッチエンドコーミング２Ｃとの間にコファダム１１が形成されるように配設されているのである。
このため、船体１がサギングホギングして撓んでも、撓みに起因して燃料タンク１０に加わる力をコファダム１１によって軽減することができる。すると、一対の前後壁３ｅ，３ｅの上端と甲板３ｄとの接合部分加わる力を軽減することができ、応力集中による亀裂などの発生等を抑えることができるから、船体が撓んでも燃料タンク１０が破損することを防ぐことができる。
【００１８】
また、燃料タンク１０は、前後壁３ｅ，３ｅ間を一つの燃料タンク１０としてもよいし、図３に示すように、燃料タンク１０内に隔壁を設けて、燃料タンク１０を分割してもよい。
この場合において、タンク内隔壁を一対の分離壁３ｇ、３ｇによって形成し、かつ、両者の間に隙間ができるように配置すれば、両者の間にコファダム１２を形成することができる。すると、船体の撓みに対する燃料タンク１０の耐久性をさらに高めることができる。
【００１９】
とくに、上部タンク３と内底板との間に設けられている、前後の船倉２を分離する船倉隔壁Ｄが、コルゲート板によって形成されたコルゲート隔壁となっている場合、一対の分離壁３ｇ，３ｇ間の間隔を、コルゲート隔壁を構成するコルゲート板の溝深さＬと同程度にしておき、この一対の分離壁３ｇ，３ｇがコルゲート隔壁Ｄの鉛通上方に位置するように配置しておくと好適である。
このように配設すれば、船倉隔壁Ｄの鉛直上方には通常クレーンポストＣＰが配置されるが、このクレーンポストＣＰを一対の分離壁３ｇ，３ｇによって支持することができ、クレーンポストＣＰが設けられている甲板３ｄ自体の強度も高くすることができる。
しかも、一対の分離壁３ｇ，３ｇがコルゲート板の溝深さＬとほぼ同じ距離だけ離れているから、クレーンポストＣＰから加わる荷重などを、クレーンポストＣＰの中心軸を挟んだ位置で支持できるので、クレーンポストＣＰの安定性を高くすることができる。
【００２０】
なお、図示しないが、一対の分離壁３ｇ，３ｇ間に、上端が甲板３ｄに取り付けられ、下端が上部タンク３の底板３ｂに取り付けられ、かつ、一対の側端が一対の分離壁３ｇ，３ｇの対向する面にそれぞれ取り付けられた補強板を設け、この補強板を、船体の幅方向に沿って並ぶように、複数枚配設してもよい。つまり、平面視で、一対の分離壁３ｇ，３ｇと補強板によって梯子状の構造が形成されるように、複数枚の補強板を配設しておけば、クレーンポストＣＰの安定性をより高くすることができる。
この場合にも、補強板がクレーンポストＣＰの中心軸を挟むように配設されていれば、クレーンポストＣＰから加わる荷重などを、クレーンポストＣＰの中心軸を挟んだ位置で支持できるので、クレーンポストＣＰの安定性をさらに高くすることができる。
【図面の簡単な説明】
【００２１】
【図１】本実施形態のバルクキャリアー１の概略説明図であって、（Ａ）は平面図であり、（Ｂ）は（Ａ）のＢ−Ｂ線断面図である。
【図２】（Ａ）は本実施形態のバルクキャリアー１の要部拡大図であり、（Ｂ）は（Ａ）のＢ−Ｂ線断面図である。
【図３】（Ａ）は他の実施形態のバルクキャリアー１の要部拡大図であり、（Ｂ）は（Ａ）のＢ−Ｂ線断面図であり、（Ｃ）は（Ａ）のＣ−Ｃ線断面図である。
【符号の説明】
【００２２】
１      バルクキャリアー
２      船倉
３      上部タンク
２Ｃ    ハッチエンドコーミング
３ｅ    後壁
３ｇ    分離壁
４      上部タンク
１０      燃料タンク
１１      コファダム
１２      コファダム
Ｄ      船倉隔壁
【図１】
2006248455.tif 000003
【図２】
2006248455.tif 000004
【図３】
2006248455.tif 000005